(57)【特許請求の範囲】
【請求項１】
ねじを回転させて端子のねじ用穴からねじ先端部を離脱させたときに、座金に一端が取り付けられたばねの付勢力により該ねじが該座金と共にアップするねじアップ式端子台において、
該ねじが該座金のねじ保持用穴に挿抜自在に装着された状態で、該ばねの付勢力により、該ねじの首部に装着されたワッシャ手段および、該ねじの頭部のうち少なくともいずれかを受けて保持可能とするねじ保持部が設けられ、該ねじ保持部は、該座金および該ねじ、該端子をそれぞれ保持する絶縁部材からなるユニットに設けられ、該ユニットに、工具または治具を通して該座金を押圧するための座金押圧用穴が設けられたねじアップ式端子台。
【請求項２】
前記ねじ保持部は、前記ねじの頭部および／または前記ワッシャ手段を受けて保持可能な穴の一部または全部で構成されており、前記座金押圧用穴は、該穴または該一部穴側に開放した切り欠き部で構成されている請求項１に記載のねじアップ式端子台。
【請求項３】
前記ねじ保持部は、前記ばねの付勢力により更に前記座金を受けて保持可能とする請求項１または２に記載のねじアップ式端子台。
【請求項４】
前記ねじ保持部は前記ユニットの天井部に形成されており、該天井部に前記座金押圧用穴が形成されている請求項１または２に記載のねじアップ式端子台。
【請求項５】
前記座金は、前記ねじ保持用穴を有する座金部材と、該座金部材にＬ字状に連設された支持部材とを有し、該支持部材に前記ばねが取り付けられており、前記座金押圧用穴は、工具または治具を通して該座金のＬ字状部上に押圧可能とする位置に対応して設けられている請求項１または２に記載のねじアップ式端子台。
【発明の詳細な説明】
【技術分野】
【０００１】
本発明は、例えば原子力発電所、火力発電所および変電所などの配電盤、制御盤および監視盤などに用いられる配線中継および分岐装置としての端子台において、ねじを締結して端子を介して配線を連結するときに、端子のねじ穴からねじを回転離脱させた状態で端子面に対して垂直方向にねじを座金と共に移動（アップ）させることにより、ねじ締結作業を素早く、容易かつ確実に行うねじアップ式端子台および、ねじアップ式端子台のねじボケなどねじ交換時に用いるねじ抜取治具に関する。
【背景技術】
【０００２】
この種のねじアップ式端子台は、図１１〜図１７に示すように特許文献１に開示されている。
【０００３】
図１１は、特許文献１に開示されている従来のねじアップ式端子台の要部構成例を示す正面図、図１２は、図１１のねじアップ式端子台を斜め上から見た場合の斜視図、図１３は、図１１のねじアップ式端子台を斜め下から見た場合の斜視図である。
【０００４】
図１１〜図１３において、従来のねじアップ式端子台１は、ねじ首にワッシャ手段としてのスパックおよび平ワッシャ２１が嵌め込まれて成形された鍋ねじなどのねじ２と、ねじ２の首部を外嵌して頭部を保持可能なねじ保持用穴を持つＬ字状の座金３と、短冊状の金属製帯材の一方端部に締結用のねじ用穴４を持つ端子５と、この端子５を保持すると共に端子５に対して垂直方向にねじ２を座金３と共に移動（アップ・ダウン）自在にガイドする絶縁部材からなるユニット６と、端子５のねじ用穴４下のユニット６の六角穴内に収容され、ねじ２がねじ用穴４を通して螺合可能とするナット７と、Ｌ字状の座金３の背部に設けられた突起部分に一端が挿入されて、ねじ用穴４から離間する方向（端子５の広面に対して垂直方向）に、座金３を付勢する圧縮ばね８とを有している。
【０００５】
ねじ２は、ねじ首にスパック（Ｓワッシャ）および平ワッシャ２１が嵌め込まれた後にねじ成形されているので、スパックおよび平ワッシャ２１はねじ本体から脱落することはない。この場合、スパックの外径よりも平ワッシャ２１の外径の方が大きい。
【０００６】
座金３は、図１４〜図１６に示すように、ねじ保持用穴を有する四角形状の座金部材３１と、この座金部材３１の一辺部分にＬ字状に連設する支持部材３２とから構成されている。この支持部材３２は、端子５の広面に対して垂直方向に配置され、支持部材３２の連設部分近傍の幅方向中央部分が切り起こされて、先端部分が端子５側に向けられたＬ字状突起部３３が形成されている。このＬ字状突起部３３の先端部分には圧縮ばね８が取り付けられる。これにより、中間組み立て品である座金およびばね付きねじ（図１４参照）が構成される。この場合、支持部材３２からＬ字状突起部３３が切り起こされているが、この切り起こされた部分の溝幅が圧縮ばね８のばね外径よりも細い溝幅となっており、かつ、圧縮ばね８の配設方向に金型を抜くように構成されている。これによって、図１７に示すように、Ｌ字状突起部３３にその先端部分ほど細くなるようにテーパができて先細形状となっており、ばね圧縮時の圧縮ばね８の安定性を確保すると共に、Ｌ字状突起部３３（一段折れ曲がった構造）を圧縮ばね８の内径に挿入する際にも圧縮ばね８がＬ字状突起部３３に引っ掛かり難い。また、ばね伸長時にも、構成するユニット６の所定位置（例えば凹部）内に組み付けることにより、圧縮ばね８が円柱状または角柱状に囲まれて、圧縮ばね８の位置の安定性が確保される。なお、ねじ２と座金３とはカシメずに、ねじ２の先端部分から座金３のねじ保持穴に通してねじ２の頭部を座金３のねじ保持用穴で保持しているだけである。即ち、ねじ２と座金３が分離可能な構造（ねじ２が座金３にカシメられていない構造）である。
【０００７】
ユニット６は複数個その厚み方向に連結され、隣接するユニット６との絶縁のために縦方向に面構造を持つ壁部材６１と、前述したねじ２、座金３、端子５、ナット７および圧縮ばね８を収容するために壁部材６１から立設されたリブ部材６２とを有している。
【０００８】
また、ユニット６は、圧縮ばね８の付勢力によりねじ２を座金３と共に保持するねじ保持部６３を有している。このねじ保持部６３は、ねじ２がねじアップされるユニット６の天井部に設けられており、ねじ２の鍋状頭部をユニット６の天井部の穴で逃がして平ワッシャ２１の外周縁部をばね付勢に抗して固定するためのリブを設けている。
【０００９】
圧縮ばね８は、座金３の背後に配設されてばね長が取れるのでばね外径を小さくできることから、ばね部分のスペースを小さくでき、ばね外径は小さいがターン数が多く取れるので、ばねのへたりを少なくできる。
【００１０】
上記構成により、定期的なメンテナンス時などに、まず、ねじ２をドライバーで回転させて緩めると、ねじ２の先端が端子５のねじ用穴４から離脱し、圧縮ばね８の付勢力によりねじ２が座金３と共に端子５の広面に対して垂直方向に移動（アップ）する。このとき、ねじ２の鍋状頭部はユニット６の天井部の穴で逃がされ、平ワッシャ２１の外周縁部がねじ保持部６３により圧縮ばね８の付勢力に抗して固定される。この状態で、ねじ２のねじ本体が座金３および平ワッシャ２１から抜けて脱落することはない。
【００１１】
次に、ねじ２の足先端部と端子５のねじ用穴４との間隙内に、電線が圧着された圧着端子を挿入した後に、ねじ２の鍋状頭部をドライバーの先端で押さえてねじ２と共に座金３を圧縮ばね８の付勢力に抗して下降させ、圧着端子の穴内にねじ２の足先端を通してねじ用穴４下のナット７に対して締め付けて圧着端子を端子５と座金３とで挟み込む。これにより、端子５と電線とが電気的に連結される。
【００１２】
ここで、ねじ２が座金３と共に端子５の広面に対してアップした状態で、図１８のように、ユニット６および端子５に対してねじ２を座金３と共に降ろして傾ければ、座金３のねじ保持用穴からねじ２を抜き取ることができる。ねじ２がぼけた場合のねじ交換などに有効である。
【００１３】
また、両方の端子５はそれぞれ、２枚の帯材から構成されており、一方の帯材はねじ用穴４が形成された側とは反対側が互いに接触することにより電気的に連結されるようになっているが、挿入口１０ａから絶縁棒を挿入することによりその接触部を電気的に遮断させることもできる。この遮断時に、挿入口１０ｂから導電棒を挿入することによりその導電棒と一方の端子５の他方の帯材とを電気的に接続することができ、また、挿入口１０ｃから導電棒を挿入することによりその導電棒と他方の端子５の他方の帯材とを電気的に接続することができる。
【特許文献１】特開２００４−０１１２３７号公報
【発明の開示】
【発明が解決しようとする課題】
【００１４】
しかしながら、上記従来のねじアップ式端子台１では、ねじ２の鍋状頭部をユニット６の天井部の穴で逃がして平ワッシャ２１の外周縁部をユニット６のリブで受けているが、ねじ２が座金３と共に端子５の広面に対してアップした状態で、図１８のように、ユニット６および端子５に対してねじ２を押して下方に移動させつつ座金３と共に傾けて、座金３のねじ保持用穴からねじ２を抜き取る場合、座金３だけを上から押すのが難しく、実際には、ねじ２の抜き取り作業は容易なものではない。特に、狭い場所でのねじ２の抜き取り作業中にねじ２を電圧印加部分に落としたままにすると起動時にショートして事故が起こってしまう。
【００１５】
本発明は、上記従来の問題を解決するもので、座金だけを容易に上から押えることができて、座金のねじ保持用穴からねじを素早く、容易かつ確実に抜き取ることができるねじアップ式端子台およびこれに用いるねじ抜取治具を提供する。
【課題を解決するための手段】
【００１６】
本発明のねじアップ式端子台は、ねじを回転させて端子のねじ用穴からねじ先端部を離脱させたときに、座金に一端が取り付けられたばねの付勢力により該ねじが該座金と共にアップするねじアップ式端子台において、該ねじが該座金のねじ保持用穴に挿抜自在に装着された状態で、該ばねの付勢力により、該ねじの首部に装着されたワッシャ手段および、該ねじの頭部のうち少なくともいずれかを受けて保持可能とするねじ保持部が設けられ、該ねじ保持部は、該座金および該ねじ、該端子をそれぞれ保持する絶縁部材からなるユニットに設けられ、該ユニットに、工具または治具を通して該座金を押圧するための座金押圧用穴が設けられたものであり、そのことにより上記目的が達成される。
【００１７】
また、好ましくは、本発明のねじアップ式端子台におけるねじ保持部は、前記ねじの頭部および／または前記ワッシャ手段を受けて保持可能な丸穴または一部丸穴の一部または全部で構成されており、前記座金押圧用穴は、該丸穴または該一部丸穴側に開放した切り欠き部で構成されている。
【００１８】
さらに、好ましくは、本発明のねじアップ式端子台におけるねじ保持部は、前記ばねの付勢力により更に前記座金を受けて保持可能とする。
【００１９】
さらに、好ましくは、本発明のねじアップ式端子台におけるねじ保持部は前記ユニットの天井部に形成されており、該天井部に前記座金押圧用穴が形成されている。
【００２０】
さらに、好ましくは、本発明のねじアップ式端子台における座金は、前記ねじ保持用穴を有する座金部材と、該座金部材にＬ字状に連設された支持部材とを有し、該支持部材に前記ばねが取り付けられており、前記座金押圧用穴は、工具または治具を通して該座金のＬ字状部上に押圧可能とする位置に対応して設けられている。
【００２１】
本発明のねじ抜取治具は、本発明の上記ねじアップ式端子台において、前記座金押圧用穴を通して前記座金をその先端部で上方から押圧可能とする押さえ用工具または押さえ治具と、該押さえ用工具または該押さえ治具で該座金だけを押さえた状態で前記ねじの首下部を挟んで保持可能とするねじ保持用工具またはねじ保持治具とを有するものであり、そのことにより上記目的が達成される。
【００２２】
また、本発明のねじ抜取治具は、ねじを回転させて端子のねじ用穴からねじ先端部を離脱させたときに、座金に一端が取り付けられたばねの付勢力により該ねじが該座金と共にアップするねじアップ式端子台において、該ねじが該座金のねじ保持用穴に挿抜自在に装着された状態で、該ばねの付勢力により、該ねじの首部に装着されたワッシャ手段および、該ねじの頭部のうち少なくともいずれかを受けて保持可能とするねじ保持部が設けられており、該ねじおよび該ワッシャ手段を避けて該座金だけを上方から押圧可能とする押さえ用工具または押さえ治具と、該押さえ用工具または該押さえ治具で該座金だけを押さえた状態で該ねじの首下部を挟んで保持可能とするねじ保持用工具またはねじ保持治具とを有するものであり、そのことにより上記目的が達成される。
【００２３】
さらに、好ましくは、本発明のねじ抜取治具におけるねじ保持治具は、板体の先端部が前記ねじの首下部を挟んで保持可能とする円形状部に形成されており、該円形状部を二つ割状態にして、ばね性をもって互いに接近または離間可能とするスリットが形成されて両側から該二つ割の各一部円形状部で、該ねじの首下部を挟み込んで保持可能とする。
【００２４】
さらに、好ましくは、本発明のねじ抜取治具における円形状部は、前記ねじの首下部を挿入し易いように、前記スリットに対向した先端部分が開口しており、該円形状部の開口部を該ねじの首下部に差し込んで、前記円形状部の内面で該ねじの首下部を挟んで保持可能とする。
【００２５】
さらに、好ましくは、本発明のねじ抜取治具における円形状部の内面には、前記ねじ脱落防止用の段部が一または複数形成されている。
【００２６】
上記構成により、以下、本発明の作用を説明する。
【００２７】
本発明においては、ねじが該座金のねじ保持用穴に挿抜自在に装着された状態で、ばねの付勢力により、ねじの首部に装着されたワッシャ手段および、ねじの頭部のうち少なくともいずれかを受けて保持可能とするねじ保持部が設けられ、このねじ保持部または、座金およびねじ、端子をそれぞれ保持する絶縁部材からなるユニットに、工具または治具を通して座金を押圧するための座金押圧用穴が設けられている。このねじ保持部は、座金およびねじ、端子をそれぞれ保持する絶縁部材からなるユニットに設けられている。
【００２８】
この座金押圧用穴に工具または治具を通して、工具または治具の先端部で座金だけを容易に上から素早く容易かつ正確に押えることが可能となって、座金のねじ保持用穴からねじを素早く容易かつ正確に抜き取ることが可能となる。
【００２９】
また、ねじおよびワッシャ手段を避けて座金だけを押さえ用工具または押さえ治具で上方から押圧可能とし、押さえ用工具または押さえ治具で座金だけを押さえた状態で、ねじ保持用工具またはねじ保持治具によりねじの首下部を挟んで保持することにより、座金のねじ保持用穴からねじを素早く容易かつ正確に抜き取ることが可能となる。
【発明の効果】
【００３０】
以上により、本発明によれば、押さえ用工具または押さえ治具を用いて座金だけを素早く容易かつ正確に上から押えることができて、座金のねじ保持用穴からねじを素早く容易かつ正確に抜き取ることができる。
【発明を実施するための最良の形態】
【００３１】
以下に、本発明のねじアップ式端子台およびこれに用いるねじ抜取治具の各実施形態について、図面を参照しながら説明する。
【００３２】
図１は、本発明の一実施形態に係るねじアップ式端子台の要部構成例を斜め上から見た場合の斜視図である。なお、図１１〜図１３の従来のねじアップ式端子台の構成部材と同様の作用効果を奏する各構成部材には同様の部材番号を付して説明する。
【００３３】
図１において、本実施形態のねじアップ式端子台１Ａは、ねじ首にワッシャ手段としてのスパックおよび平ワッシャ２１が嵌め込まれて成形された鍋ねじなどのねじ２と、ねじ２の首部を外嵌して頭部を保持可能なねじ保持用穴を持つＬ字状の座金３と、短冊状の金属製帯材の少なくとも一方端部（端子５が長方形であれば端子両端部にねじ用穴４が設けられるが、ここでは一方端部のみにねじ用穴４が設けられる場合である）に締結用のねじ用穴４を持つ端子５と、この端子５を保持すると共に端子５に対して垂直方向にねじ２を座金３と共に移動（アップ・ダウン）自在にガイドする樹脂製の絶縁部材からなるユニット６Ａと、端子５のねじ用穴４下のユニット６Ａの六角穴内に収容され、ねじ２がねじ用穴４を通して螺合可能とするナット７と、Ｌ字状の座金３の背部に設けられた突起部分に一端が挿入されて、ねじ用穴４から離間する方向（端子５の広面に対して垂直方向）に、座金３を付勢する圧縮ばね８（図１１に図示しており、図１では図示せず）とを有している。この構成については、図１１の従来のねじアップ式端子台１の構成と略同様の構成であるが、構成が異なるのは、ユニット６Ａとして、座金部材３１の一辺部分に支持部材３２に連設するＬ字状部３５上を、上方から、後述するドライバーなどの工具やねじ抜取治具の押さえ治具の先端部（図示せず）で押圧するための切り欠き部６５Ａが形成されていることである。
【００３４】
ユニット６Ａは、複数個その厚み方向に連結され、隣接するユニット６Ａとの絶縁のために縦方向に面構造を持つ壁部材６１と、前述したねじ２、座金３、端子５、ナット７および圧縮ばね８（図１０に図示しており、図１では図示せず）を収容するために壁部材６１から立設されたリブ部材６２とを有している。
【００３５】
また、ユニット６Ａは、圧縮ばね８（図１では図示せず）の付勢力によりねじ２を座金３と共に保持するねじ保持部６３を有している。このねじ保持部６３は、ユニット６Ａの天井部６４に下方に突出するように設けられており、ねじ２の鍋状頭部をユニット６Ａの天井部６４の穴６４Ａで逃がして平ワッシャ２１の外周縁部をばね付勢力に抗して固定するためのリブとして設けている。さらに、前述したように、ユニット６Ａの中央上面が記号板（図示せず）を載置するための平坦部６６になっている天井部６４の奥行き方向の中央部分に、後述するドライバーなどの工具やねじ抜取治具の押さえ治具の先端部分（断面矩形、正方形または円形）を通して座金部材３１を押圧するための矩形状または一部円形状の切り欠き部６５Ａが穴６４Ａ側に開放するように形成されている。即ち、ねじ保持部６３は、ねじ２の頭部および／または平ワッシャ２１を受けて保持可能な穴６４Ａ（例えば丸穴）の一部または全部で構成されており、座金押圧用穴として、この丸穴（または一部丸穴）側に開放した切り欠き部６５Ａで構成されている。
【００３６】
上記構成により、ねじ２が座金３と共に端子５の広面に対してアップした状態から、図２（ａ）のように、ドライバ１０１の先端部分をユニット６Ａの天井部６４の切り欠き部６５Ａを通して、座金３のＬ字状部３５上を押圧することにより、座金３をねじ２と共に端子５の位置まで押し下げる。このとき、図２（ａ）に示すようにねじ２の首下は座金３から浮き上がる。ねじ２の首下の足部分をラジオペンチ１０２（ピンセットでもよい）にて摘んで、図２（ｂ）のように、ねじ２をユニット空間内で上方に一旦持ち上げてねじ２の足先端部分を座金３から外して、図２（ｃ）のように、ラジオペンチ１０２にてねじ２の足先端部分から外側に取り除く。
【００３７】
このようにして、座金３だけをドライバ１０１の先端部分で容易に上から押えて、座金３のねじ保持用穴４からねじ２を素早く、容易かつ確実に抜き取ることができる。これによって、ねじ２がぼけた場合などのねじ交換時に、各ユニット６Ａをレールからばらばらに取り外したり、ねじ２を他のショートの危険性がある電圧印加部分に落として事故を起こすなどの虞がより解消される。
【００３８】
このように、図２（ｄ）に示すようにねじ２の足先端部分側からユニット６Ａの外側に取り除くことができるが、これに限らず、図２（ｅ）に示すようにねじ２の頭部側からユニット６Ａの外側に取り除くこともできる。
【００３９】
以上により、本実施形態によれば、端子５のねじ用穴４からねじ２を回転離脱させた状態で端子５の広面に対して垂直方向にねじ２を座金３と共にアップするねじアップ式端子台１Ａにおいて、ねじ２が座金３のねじ保持用穴４に挿抜自在に装着された状態で、圧縮ばね８の付勢力によりねじ２の平ワッシャ２１を受けて保持可能とするねじ保持部６３がねじアップ式端子台１Ａのユニット６Ａの天井部分６４に設けられている。ドライバ１０１の先端部分を、ユニット６Ａの天井部６４の切り欠き部６５Ａを通して、座金３のＬ字状部３５上を押圧することにより、座金３だけを素早く、容易かつ確実に上から押えることができて、浮き上がったねじ２をラジオペンチやピンセットなどで摘んで、座金３のねじ保持用穴４からねじ２を落とすことなく、素早く、容易かつ確実に抜き取ることができる。
【００４０】
なお、上記実施形態では、ドライバ１０１の先端部分を切り欠き部６５Ａを通して座金３だけを押えて、浮き上がったねじ２をラジオペンチやピンセットなどで挟んで抜き取る場合について説明したが、これに限らず、図３に示すような長尺の断面円形（または断面矩形または正方形）の先端部分を持つ押さえ治具１０３を用い、押さえ治具１０３の断面円形の先端部分を切り欠き部６５Ａを通して座金３だけを押えて、浮き上がったねじ２を図３に示すようなねじ保持治具１０４で挟んでユニット６Ａの外側に抜き取ることができる。即ち、ねじ抜取治具は、座金押圧用穴としての切り欠き部６５Ａを通して座金３をその先端部で上方から押圧可能とする押さえ用工具または押さえ治具と、この押さえ用工具または押さえ治具で座金３だけを押さえた状態でねじ２の首下部を挟んで保持可能とするねじ保持用工具またはねじ保持治具とを有している。
【００４１】
このねじ保持治具１０４としては、板体の先端部がねじ２の足部分を挟んで保持可能とする円形状部１０４ａに形成されており、長手方向中央部にばね性を得るためのスリット１０４ｂが形成されてピンセットのように両側から円形状部１０４ａで、ねじ２の断面円形首下部分に挟み込んで保持することができるようになっている。この円形状部１０４ａは、断面円形首下部分に挿入し易いように先端部分で開口しており、この円形状部１０４ａの開口部をねじ２の首下足部分に差し込んで、円形状部１０４ａの内面でねじ２を摘んで保持する。この場合、円形状部１０４ａの内面は、ねじ２が脱落し難いように段部が設けられている。
【００４２】
ここで、ねじ２の抜き取り作業をさらに説明する。まず、ねじ２が座金３と共に端子５の広面に対してアップした状態から、押さえ治具１０３の先端部分を、図４（ａ）のように、ユニット６Ａの天井部６４の切り欠き部６５Ａを通して、座金３のＬ字状部３５上を押圧することにより、座金３をねじ２と共に端子５の位置まで押し下げる。このとき、図４（ａ）に示すようにねじ２の首下は座金３から浮き上がる。ねじ２の首下の足部分に、ねじ保持治具１０４の先端開口部を差し込んで、円形状部１０４ａの内面でねじ２を摘む。次に、図４（ｂ）のように、ねじ２をユニット空間内で上方に一旦持ち上げてねじ２の足先端部分を座金３のねじ保持用穴４から外す。さらに、図４（ｃ）のように、ねじ保持治具１０４にてねじ２の足先端部分から外側に取り除く。このように、座金３だけを押さえ治具１０３の先端平面部分で容易に上から押えて、ねじ保持治具１０４で素早く容易かつ確実にねじ２を保持して、座金３のねじ保持用穴４からねじ２を、素早く容易かつ確実に抜き取ることができる。これによって、ねじ２がぼけた場合などのねじ交換時などに、端子台が高密度に設置されている場合など、各ユニット６Ａをレールからばらばらに取り外したり、ねじ２を他のショートの危険性がある回路部分に落として起動時に事故を起こすなどの虞がより解消される。
【００４３】
このように、押さえ治具１０３およびねじ保持治具１０４を用いて、押え用治具１０３にて座金３だけを押えつつ、ねじ保持治具１０４で素早く容易かつ確実にねじ２を保持して、ねじ保持治具１０４にてねじ２を持ち上げてねじ保持用穴４からねじ２を素早く容易かつ確実に抜き取ることができる。
【００４４】
次に、座金３だけを上から押えるために、ドライバー１０１や押さえ治具１０３を用いたが、これに限らず、上記事例とは別の事例として、図５に示すようなＬ字状の押さえ治具１０５を用いることができる。この場合、Ｌ字状の押さえ治具１０５は、ねじ２の頭部および平ワッシャ２１を避けるように間口が大きいＵ字状に切り欠かれた切り欠き部１０５ａを座金３上に挿入して、押さえ用治具１０５にて座金３だけを押えると、ねじ２が持ち上がり、ねじ保持治具１０４にてねじ２を挟み込んで一旦更に持ち上げてねじ保持用穴４からねじ２を抜き取ってねじ交換することができる。
【００４５】
即ち、ねじ２の抜き取り作業をさらに説明する。まず、ねじ２が座金３と共に端子５の広面に対してアップした状態から、ドライバー１０１にてねじ２を上から押さえて下げて、図６（ａ）のように、押さえ治具１０５の先端部分のＵ字状の切り欠き部１０５ａを、ねじ２の頭部および平ワッシャ２１を避けて挿入し、座金３を下側に押圧することにより、座金３を端子５の位置まで押し下げる。このとき、図６（ａ）に示すようにねじ２の首下は座金３から浮き上がる。ねじ２の首下部分をねじ保持治具１０４にて挟んで保持し、図６（ｂ）のように、ねじ２をユニット空間内で上方に一旦持ち上げてねじ２の足先端部分を座金３のねじ保持用穴４から外して、図６（ｃ）のように、ねじ保持治具１０４にてねじ２の足先端部分から外側に取り除く。このように、座金３だけを押さえ治具１０５の先端部分のＵ字状の切り欠き部１０５ａで上から押えて、座金３のねじ保持用穴４からねじ２を抜き取ることができる。これによって、ねじ２がぼけた場合などのねじ交換時などに、各ユニット６Ａをレールからばらばらに取り外したり、ねじ２を他のショートの危険性がある回路部分に落として起動時に事故を起こすなどの虞が解消される。
【００４６】
この場合、ユニット６Ａの天井部６４の切り欠き部６５Ａが不要となるが、端子台の上方は空いているものの、ドライバーでねじ２の頭部を押えつつ、押え治具１０５でさらに座金３だけを押さえ、ねじ保持治具１０４を押え治具１０５と同じ横方向から用いてねじ２を抜き取る作業は、端子台が高過密に設置されている場合には特にスペースが少なく困難である。したがって、前述したようにユニット６Ａの天井部６４に切り欠き部６５Ａを形成してドライバー１０１や押え治具１０３を用いて座金３だけを押えつつラジオペンチ１０２やねじ保持治具１０４を用いてねじ２を抜き取る方が作業性が良好であり、ねじ２を落とす危険性も少なく、より素早く容易かつ確実にねじ２を抜き取ることができる。さらに、本発明の構成を用いれば、端子台１のユニット高さをさらに低くすることもできる。
【００４７】
なお、上記実施形態では、ねじアップ式端子台１Ａにおいて、ユニット６Ａの天井部６４に座金３のみを押える部材（工具または治具）を挿入するための切り欠き部６５Ａを設けたが、これに限らず、図７に示すように、ねじアップ式端子台１Ｂとして、ユニット６Ｂの切り欠き部６５Ｂの背面側の突起部６４Ｃと、その隣のユニット６Ｂの切り欠き部６５Ｂとを嵌合して組み合わせて上記切り欠き部６５Ａと同等の大きさで開口する切り欠き部を構成するようにしてもよい。この場合には、上記切り欠き部６５Ａに比べて成形金型の抜き方向に切り欠き部６５Ｂを形成できて金型構造が簡略化できる。
【００４８】
なお、上記実施形態では、ユニット６Ａの中央上面が記号板（図示せず）を載置するための平坦部６６になっている天井部６４の奥行き方向の中央部分に、後述するドライバーなどの工具やねじ抜取治具の押さえ治具の先端部分（断面矩形、正方形または円形）を通して座金部材３１を押圧するための矩形状または一部円形状の切り欠き部６５Ａが穴６４Ａ側に開放するように形成されている。
【００４９】
圧縮ばね８の付勢力によりねじ２の平ワッシャ２１をリブ状のねじ保持部６３で受けるように構成したが、これに加えてまたはこれとは別に、ねじ２の鍋状頭部を穴の内周縁部で容易にひらって固定するために、ねじ２の鍋状頭部の外径よりも若干小さい内径の穴を有するねじ保持部をユニット６Ａの天井部に設けるようにしてもよい。さらに、ユニット６Ａに、圧縮ばね８の付勢力に抗して更に座金３を上から押さえてこれを保持するねじ保持部を設けるようにしていもよい。これにより、ねじ２が座金３のねじ保持用穴４に挿抜自在に装着された状態（カシメられていない状態）で、圧縮ばね８の付勢力によりねじ２の平ワッシャ２１または／および頭部を座金３と共にねじ保持部で受け止めて保持することができる。このようなねじアップ式端子台のユニット６Ａの天井部６４に、座金３のみを押える部材（工具または治具）を挿入するための切り欠き部６５Ａと同等の切り欠き部を形成することができる。
【００５０】
また、上記本実施形態では、座金２をねじ２と共にアップさせるために圧縮ばね８を用いたが、これに限らず、図８〜図１０に示すようにコイルばね９を用いてもよい。図８〜図１０ではコイルばね９がユニット６Ａの真ん中に一つある場合を示している。ねじアップ用のばねは、圧縮ばね８やコイルばね９の他に、せんばねや板ばねなど、ねじアップ機能を達成できるものであれば他の形態のばねであってもよい。このようなねじアップ式端子台のユニット６Ａの天井部６４に、座金３のみを押える部材（工具または治具）を挿入するための切り欠き部６５Ａと同等の切り欠き部を形成すればよい。
【００５１】
さらに、上記本実施形態では、図１５および図１６の座金３のように構成したが、例えば、圧縮ばね８が縮んだ時にユニット６Ａまたは６Ｂ内で収まりがよいように、座金３の支持部材３２における切り起こし部の縦溝を下端まで延長したスリットを入れて構成してもよい。この場合、スリット内に圧縮ばね８が吸い込まれないように、スリット幅が圧縮ばね８のばね外径よりも細い溝幅となっている必要がある。このスリットに対向するようにユニット６Ａまたは６Ｂ側にも縦方向の凹部を圧縮ばね８の一部を収容するために設けてもよい。
【００５２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５３】
本発明は、例えば原子力発電所、火力発電所および変電所などの配電盤、制御盤および監視盤などに用いられる配線中継および分岐装置としての端子台において、ねじを締結して端子を介して配線を連結するときに、端子のねじ穴からねじを回転離脱させた状態で端子面に対して垂直方向にねじを座金と共に移動（アップ）させることにより、ねじ締結作業を素早く、容易かつ確実に行うねじアップ式端子台および、ねじアップ式端子台のねじボケなどねじ交換時に用いるねじ抜取治具の分野において、押さえ用工具または該押さえ治具を用いて座金だけを素早く容易かつ正確に上から押えることができて、座金のねじ保持用穴からねじを素早く容易かつ正確に抜き取ることができる。
【図面の簡単な説明】
【００５４】
【図１】本発明の一実施形態に係るねじアップ式端子台の要部構成例を斜め上から見た場合の斜視図である。
【図２】（ａ）〜（ｅ）は、図１のねじアップ式端子台において、一般工具を用いた場合のねじ抜き取り作業を説明するための図である。
【図３】本発明の一実施形態に係るねじ抜取治具を示す斜視図である。
【図４】（ａ）〜（ｃ）は、図１のねじアップ式端子台において、図３のねじ抜取治具を用いた場合のねじ抜き取り作業を説明するための図である。
【図５】本発明の他の実施形態に係るねじ抜取治具を示す斜視図である。
【図６】（ａ）〜（ｃ）は、図１のねじアップ式端子台において、図５のねじ抜取治具を用いた場合のねじ抜き取り作業を説明するための図である。
【図７】図１のねじアップ式端子台の変形例を斜め上から見た場合の斜視図である。
【図８】（ａ）は圧縮ばねの代わりにコイルばねを用いた場合の他の実施形態を示す図１のねじおよび座金とばねとを組み立てた状態を示す上面図、（ｂ）はその側面図である。
【図９】図８（ｂ）においてばねが収縮した状態を示す側面図である。
【図１０】図８（ｂ）のねじ、座金およびばねをユニットに組み込んだ状態を示す他の実施形態のねじアップ式端子台の一部正面図である。
【図１１】特許文献１に開示されている従来のねじアップ式端子台の要部構成例を示す正面図である。
【図１２】図１１のねじアップ式端子台を斜め上から見た場合の斜視図である。
【図１３】図１１のねじアップ式端子台を斜め下から見た場合の斜視図である。
【図１４】図１１のねじ、座金および圧縮ばねを組み立てた状態を示す側面図である。
【図１５】図１４の上面図である。
【図１６】図１４の斜視図である。
【図１７】図１４のＬ字状突起部材の先細形状を説明するための要部拡大図である。
【図１８】図１１において、ねじを座金から抜き取る状態を説明するための要部拡大図である。
【符号の説明】
【００５５】
１Ａ、１Ｂ  ねじアップ式端子台
２  ねじ
３  座金
３１  座金部材
３２  支持部材
３５  Ｌ字状部
４  ねじ穴
５  端子
６Ａ、６Ｂ  ユニット
６３  ねじ保持部
６４  天井部
６４Ａ、６４Ｂ  穴
６５Ａ、６５Ｂ  切り欠き部
６６  平坦部
７  ナット
８  圧縮ばね
９  コイルばね
１０１  ドライバー
１０２  ラジオペンチ
１０３、１０５  押え治具
１０５ａ  切り欠き部
１０４  ねじ保持治具
１０４ａ  円形状部
１０４ｂ  スリット
【図１】
0004851472.tif 000002
【図２】
0004851472.tif 000003
【図３】
0004851472.tif 000004
【図４】
0004851472.tif 000005
【図５】
0004851472.tif 000006
【図６】
0004851472.tif 000007
【図７】
0004851472.tif 000008
【図８】
0004851472.tif 000009
【図９】
0004851472.tif 000010
【図１０】
0004851472.tif 000011
【図１１】
0004851472.tif 000012
【図１２】
0004851472.tif 000013
【図１３】
0004851472.tif 000014
【図１４】
0004851472.tif 000015
【図１５】
0004851472.tif 000016
【図１６】
0004851472.tif 000017
【図１７】
0004851472.tif 000018
【図１８】
0004851472.tif 000019